(57)【要約】【課題】食器洗浄機の洗浄工程後のすすぎ工程で漂白を行う場合に、洗浄水中やフィルターに残留した残飯や汚れが漂白成分と結合してしまい、十分な漂白効果が得られなかったり、不快な臭気を生じる場合があった。【解決手段】洗浄水中の有機物濃度を検出する有機物検出手段１６またはフィルターの汚れを検出するフィルター汚れ検出手段１８の出力に応じて、洗浄水中に漂白成分を含有させる漂白手段１９や洗浄手段の運転を制御する制御手段１５を備えた。洗浄水中の有機物濃度が高いとき、またはフィルター上に汚れがあるときは、漂白成分を増やすように運転制御したり、漂白の実施の可否を判断して洗浄水の置換やフィルターの清掃を促す報知を行うようにした。【選択図】  図１
2004229808.tif 000002
【特許請求の範囲】
【請求項１】
食器等の被洗浄物を収納する洗浄槽と、洗浄槽に洗浄水を供給する給水手段と、洗浄水を洗浄槽内で噴射させて被洗浄物を洗浄する洗浄手段と、洗浄水中に漂白成分を含有させる漂白手段とを備え、少なくとも食器の洗浄工程と漂白工程とすすぎ工程とを含む複数の工程と、それぞれの工程内で給水動作と循環動作と排水動作とを順次実行する食器洗浄機において、前記洗浄工程と前記漂白工程の間に少なくとも１回以上のすすぎ工程を実行することを特徴とする食器洗浄機。
【請求項２】
請求項１に記載の食器洗浄機において、洗浄水中の残飯を捕捉するフィルターを備え、前記漂白工程の開始前に前記フィルター上の残飯の捕捉状態の判断結果に基づいて前記フィルターの清掃時期を報知することを特徴とする食器洗浄機。
【請求項３】
請求項２に記載の食器洗浄機において、前記フィルターの荷重を検出する荷重検出手段を備えることを特徴とする食器洗浄機。
【請求項４】
請求項２乃至３に記載の食器洗浄機において、前記フィルターの清掃手段を備えることを特徴とする食器洗浄機。
【発明の詳細な説明】
【０００１】
【発明の属する技術分野】
本発明は、食器の洗浄、漂白を行う食器洗浄機に関する。
【０００２】
【従来の技術】
従来のこの種の食器洗浄機は、家庭に常時ある食塩を用いて洗浄水と混合して電気分解することにより、漂白成分である遊離塩素を洗浄水中に生成して、本洗い後のすすぎ行程、又は予洗行程、単独の漂白行程で漂白することにより、漂白、脱臭、殺菌効果を発揮するものがあった（例えば、特許文献１参照。）。
【０００３】
【特許文献１】特許第３２４５９５８号公報
【０００４】
【発明が解決しようとする課題】
従来の食器洗浄機においては、洗浄水の循環経路にフィルターを備えて、食器に付着していた残飯や汚れはフィルターで捕捉され、残飯や汚れが食器に再付着するのを防止するものがあった。これらの残飯や汚れなどの有機物は、漂白成分である遊離塩素と結合しやすく、洗浄水中の遊離塩素の大部分が結合塩素として消費されてしまう。また、食器の洗浄のために添加した洗剤が洗浄水中に残留している場合にも、遊離塩素は洗剤と反応して結合塩素として消費されてしまう。
結合塩素は遊離塩素と比べて漂白効果が小さいため、漂白を行う際に、充分な漂白、脱臭、殺菌効果を発揮できなくなる問題があった。また遊離塩素よりも結合塩素の方が強い異臭を有するため、結合塩素の濃度が高くなる場合には、異臭によって使用者の不快感を生じさせてしまう問題があった。
【０００５】
本発明は、上記課題を解決するためになされたもので、本発明の目的は、使用者が不快感を感じることがなく、漂白成分の失活を防止して、漂白、脱臭、殺菌効果の高い食器洗浄機を提供することにある。
【課題を解決するための手段】
上記目的を達成するために本発明においては、食器等の被洗浄物を収納する洗浄槽と、洗浄槽に洗浄水を供給する給水手段と、洗浄水を洗浄槽内で噴射させて被洗浄物を洗浄する洗浄手段と、洗浄水中に漂白成分を含有させる漂白手段とを備え、少なくとも食器の洗浄工程と漂白工程とすすぎ工程とを含む複数の工程と、それぞれの工程内で給水動作と循環動作と排水動作とを順次実行する食器洗浄機において、前記洗浄工程と前記漂白工程の間に少なくとも１回以上のすすぎ工程を実行するようにしたので、洗浄工程で使用された洗剤や洗剤を使用しない洗浄を行った場合の食器からの汚れが、漂白時の洗浄水中に残留するのを小さくできる。このため、漂白工程において、漂白成分が洗剤や汚れによって失活するのを低減でき、漂白成分がこれらの洗剤や汚れと結合して不快な臭気が発生するのを抑制できる。
【０００６】
また、洗浄水中の残飯を捕捉するフィルターを備え、前記漂白工程の開始前に前記フィルター上の残飯の捕捉状態の判断結果に基づいて前記フィルターの清掃時期を報知するようにしたので、報知によって使用者がフィルターを清掃するタイミングを容易に知ることができ、フィルターの清掃により、漂白成分が失活するのを低減でき、また、漂白成分がフィルター上の汚れと結合して不快な臭気が発生するのを抑制できる。フィルター上の残飯の捕捉状態の判断は、前記フィルターの荷重を検出する荷重検出手段を備えるようにして、検出結果に基づいて判断すれば汚れの溜まったときに報知し、汚れのないときは報知しないなど、必要に応じた清掃報知の実行が可能となり、簡単な構成でフィルターの汚れを検出することができる。
【０００７】
また、漂白工程の前に実行された工程の有無に応じて、前記清掃時期報知の可否を判断すれば、漂白工程が最初に実行される場合には、漂白工程の実行前にはまだフィルターに残飯や汚れが捕捉されてないので清掃する必要がなく、不要な報知により使用者をわずらわせるのを防止できる。清掃時期報知の有無を選択可能としてもよく、フィルターに捕捉されるような食器の汚れがほとんどない場合などのフィルターの清掃が不要な場合に、不要な報知により使用者がわずらわされることがなくなる。
【０００８】
さらに、前記フィルターの清掃手段を備えるようにして、フィルターの清掃が必要と判断される場合に、自動でフィルターの清掃を行うようにして、使用者の手をわずらわせない使い勝手のよい食器洗浄機を提供できる。
【０００９】
したがって、本発明によれば、簡単な構成で、異臭によって使用者の不快感を生じさせることがなく、漂白成分を有効に利用できる、使い勝手のよい食器洗浄機を提供することができる。
【発明の実施の形態】
以下に、本発明の実施の形態について、図面を参照しながら説明する。
【００１０】
図１は本発明の一実施形態の食器洗浄機の内部構造図である。食器洗浄機１は内部に洗浄水を溜める洗浄槽２を備え、洗浄槽２に食器を出し入れするための扉５０と、洗浄槽２の内部に食器を収納する食器かご３と、食器に向けて洗浄水を噴射するノズル４を備える。洗浄槽２の下方にはポンプ５を備え、ポンプ５はノズル４から食器に向けて洗浄水を噴射するべく、洗浄水を圧送する。洗浄槽２内へ洗浄水の供給を行う給水手段としては給水経路６と給水経路６の開閉を行う電磁弁７を備え、洗浄槽２内に溜めた洗浄水の水位を検出する水位検出手段８を備えて、所定の水位まで洗浄水を溜めるように電磁弁７の開閉を行うことができる。また洗浄槽２には洗浄水を加熱する温水ヒーター９および洗浄水の温度を検出する温水温度検出手段１０を備えて、温水温度検出手段１０の出力に基づいて温水ヒーター９を運転して、洗浄水の温度を所定の温度に維持することができる。
ポンプ５は、洗浄水を食器に向けて噴射する洗浄手段としての機能と、洗浄水を食器洗浄機１の外部へと排出する排水手段としての機能とを合わせもつようにしてもよく、その場合はポンプ５は排水経路１１に連通する。ポンプ５、電磁弁７、温水ヒーター９を適宜運転することにより、所定温度で所定の水量の洗浄水によって食器の洗浄を行うことができる。
【００１１】
また、食器洗浄機１には、洗浄槽２に風を送り込む送風ファン１２と、送風ファン１２によって送り込まれる風を加熱する温風ヒーター１３と、送風ファン１２によって送り込まれた風を機外に排出する排気口１４を備えて、食器の乾燥も行えるようにしてもよい。食器洗浄機１の内部には制御装置１５を備え、食器洗浄機１の前面には操作パネル３９を備えている。
【００１２】
洗浄槽２の内部には洗浄水中の残飯や汚れを捕捉するフィルター１７を備え、フィルター１７は、洗浄水中の残飯や汚れが洗浄水中に浮遊して洗浄手段であるノズル４やポンプ５を詰まらせるのを防止し、またこれらの残飯や汚れが食器に再度付着するのを防止する。
【００１３】
洗浄槽２には、洗浄水中の有機物濃度を検出する有機物検出手段１６を備える。有機物検出手段１６には、洗浄水の光透過度から洗浄水中の懸濁物質の濃度を検出する濁度センサーを用いたり、洗浄水中の電極の電圧と電流の関係から有機物濃度を推定するセンサーを用いたりしてもよい。さらには、フィルター１７に捕捉された汚れの度合いを検出するフィルター汚れ検出手段１８を備える。フィルター汚れ検出手段１８には、汚れを捕捉した際のフィルター１７の表面の光の反射率の変化から汚れ度合いを検出する光センサーを用いてもよいし、フィルター１７を下方から受けた面がフィルター１７から受ける力を検出する荷重検出器を用いてもよい。またフィルター汚れ検出手段１８は、フィルター１７の下方に圧力センサーを設けてフィルター１７の目詰まり状況を圧力損失値として検出したり、ポンプ５を駆動するモーターの電流および電圧の負荷状況からフィルター１７の目詰まり状況を推定したりするものであってもよい。
【００１４】
また食器洗浄機１には、洗浄水に漂白成分を含有させる漂白手段１９を備える。漂白手段１９としては、洗浄水に漂白剤を自動添加する装置であってもよいし、図１に示すように、洗浄水の電気分解手段２０を備え、食塩を含有した洗浄水を電気分解することで、洗浄水中に遊離塩素を生成するようにしてもよい。
【００１５】
図２は本発明の一実施形態の食器洗浄機の制御ブロック図である。制御装置１５はマイクロコンピュータ２１を備え、マイクロコンピュータ２１は、その内部にあらかじめプログラミングされたプログラムが記憶されており、入力回路２２からの信号を演算しながら、記憶されたプログラムに基づき外部の出力回路２３、駆動回路２４に信号を出力することによって、食器の洗浄および乾燥の一連の動作を行ったり、運転状態やエラーなどの表示や報知を行うものである。
【００１６】
食器洗浄機１による食器の洗浄は、洗い工程、すすぎ工程、最終すすぎ工程を逐次実行することによって行われ、各工程の実施回数ならびに各工程における実施時間および洗浄水の加熱到達温度があらかじめマイクロコンピュータ２１内部のプログラムとして設定された洗浄コースを使用者が選択して実行するもので、食器の汚れや量に応じて洗浄コースを選択できるように、設定の異なる複数の洗浄コースを備える。同様に食器の乾燥については、乾燥時間および乾燥温度の異なる複数の乾燥コースから選択できる。
【００１７】
洗い工程、すすぎ工程、最終すすぎ工程のそれぞれの工程内においては、給水動作、循環動作、排水動作が逐次実行される。すなわち給水動作では、電磁弁７を開成し洗浄槽２内に洗浄水を供給し、水位検出手段８からの信号によって所定の水位まで到達したことをマイクロコンピュータ２１が認識すると電磁弁７を閉止する。循環動作では洗浄槽２内の洗浄水をポンプ５がノズル４に圧送し、食器に向かって噴射し、洗浄槽２内の洗浄水を循環する。排水動作では洗浄槽２内の洗浄水をポンプ５によって食器洗浄機１の外部に排出する。
【００１８】
洗い工程と最終すすぎ工程においては、洗浄槽２に貯水される洗浄水を、循環動作において温水ヒーター９によって加熱しながらポンプ５による噴射および循環を行う。すすぎ工程においては温水ヒーター９による洗浄水の加熱は行なわずに、ポンプ５による洗浄水の噴射および循環を行なう。すすぎ工程において食器の漂白が実行される場合には、循環動作において漂白手段１９が運転されて洗浄水中に漂白成分を含有させながら、ポンプ５による洗浄水の噴射および循環を行なう。この場合も温水ヒーター９による洗浄水の加熱は行なわない。
【００１９】
乾燥工程においては、送風ファン１２によって洗浄槽２内に風が送り込まれ、排気口１４から食器洗浄機１の外部に排出される。さらに温風による乾燥コースが選択された場合には、送風ファン１２を運転するとともに温風ヒータ１３に通電して、洗浄槽２に送り込む風を加熱する。
【００２０】
図３は本発明の一実施形態の食器洗浄機の操作パネルの概略図である。操作パネル３９には、電源の入／切を行う電源スイッチ２５、運転の開始および一時停止を行うスタート／一時停止スイッチ２６、洗浄コースを選択する洗浄コーススイッチ２７、漂白の実施可否を選択する漂白スイッチ２８、乾燥コースを選択する乾燥選択スイッチ２９を備える。洗浄コーススイッチ２７は、たとえば、軽い汚れの食器を洗剤を使用して短時間で洗浄する『８分コース』、軽い汚れの食器を洗剤を使用せずに洗浄する『洗剤なしコース』、標準的な汚れの食器を洗剤を使用して洗浄する『標準コース』、といったあらかじめ設定されている複数の洗浄コースの中から運転する洗浄コースを選択するスイッチである。
【００２１】
漂白スイッチ２８は、先に洗浄コーススイッチ２７で洗浄コースが選択されたあとで漂白スイッチ２８が選択されたときには、洗い工程の後に実行されるすすぎ工程での漂白を実行し、漂白スイッチ２８のみが選択されたときには、洗い工程を行わずにすすぎ工程での漂白から実行するスイッチである。また、洗浄コーススイッチ２７で洗浄コースが選択されたあとでも、漂白スイッチ２８が例えば連続して３秒以上押されたときには、洗い工程を行わずにすすぎ工程での漂白から実行するようにしてもよいし、漂白スイッチ２８が押されたときは、洗浄コーススイッチ２７での洗浄コースの選択に関わらず、洗い工程を行わずにすすぎ工程での漂白から実行するようにしてもよい。
【００２２】
乾燥選択スイッチ２９は、温風１５分、温風３０分、温風６０分、送風６０分といったあらかじめ設定されている複数の乾燥コースの中から運転する乾燥コースを選択するスイッチである。また、洗浄を行わずに乾燥のみを行いたい場合に選択する乾燥のみスイッチ３０を備える。乾燥選択スイッチ２９は、洗浄コーススイッチ２７にて洗浄コースのいずれかが選択された場合も、乾燥のみスイッチ３０で乾燥のみ運転が選択された場合にも設定可能である。
【００２３】
操作パネル３９には、運転状況として実行中の工程を表示する工程表示ＬＥＤ３１、選択された洗浄コースおよび乾燥コースを表示する選択コース表示ＬＥＤ３２、漂白の実行の有無を表示する漂白ＬＥＤ３３を備える。さらに操作パネル３９に、漂白における食塩の投入タイミングを表示する食塩投入ＬＥＤ３４、洗浄水の汚れ度合いやフィルター汚れ度合いを表示する汚れ表示ＬＥＤ３５を備える。また操作パネル３９もしくは制御装置１５にブザー３８を備えて、操作パネル３９のＬＥＤ３１乃至３５の点灯や点滅に合わせてブザー３８を鳴らすようにしてもよい。
【００２４】
かかる構成によって、食器洗浄機１において食器を漂白する場合、洗浄コーススイッチ２７で洗浄コースが選択されたあとで漂白スイッチ２８が選択され漂白の実行が選択されたときは、まず通常の洗浄工程による食器の洗浄が実行され、次にすすぎ工程による食器のすすぎが行われ、その次に食器の漂白を行う漂白工程が実行される。漂白工程においてはまず、フィルター汚れ検出手段１８の出力がマイクロコンピュータ２１によって確認される。フィルター汚れ検出手段１８の出力に基づいてフィルター１７上の残飯汚れがないか所定量よりも少ないと判断されると、漂白工程の実行を継続して、給水動作と循環動作と排水動作とを順次実行する。循環動作においては、漂白手段１９を動作させて洗浄水に漂白成分を含有させながら、ポンプ５によって漂白成分を含有した洗浄水が食器に向かって噴射される。
【００２５】
一方、フィルター１７上の残飯汚れが所定量よりも多いと判断した場合には、汚れ表示ＬＥＤ３５を点灯させ、ブザー３８を鳴らしてフィルター１７の清掃報知を行う。この場合、汚れ表示ＬＥＤ３５の点灯およびブザー３８による報知は、単にフィルター１７の汚れ詰まりを報知するだけでなく、漂白を実行してもフィルター１７上の汚れにより漂白成分の失活や不快臭発生のおそれがあることを意味するものであって、その後の漂白が実行されないことを示す。
【００２６】
使用者はブザー３８の音を聞いて、汚れ表示ＬＥＤ３５が点灯していることを確認して、フィルター１７に捕捉された残飯や汚れを清掃すればよい。扉５０の開閉を検出する扉検出手段５１により、使用者がフィルター１７を掃除するために扉５０が開かれたことをマイクロコンピュータ２１が認知した場合には、ブザー３８を停止する。扉５０が閉じられた後で、スタート／一時停止スイッチ２６またはその他のいずれかのスイッチを押すと、漂白工程が再開される。このときフィルター１７には漂白成分と結合しやすい残飯や汚れが捕捉されていない状態であり、漂白が開始されても、洗浄水中の漂白成分が失活したりすることがなく、有機物と結合した漂白成分による不快臭発生もない。
【００２７】
循環動作での漂白の実行中においても、フィルター１７上の汚れが多いと判断される場合には汚れ表示ＬＥＤ３５を点灯させるとともにブザーを鳴らすようにしてフィルター１７の清掃を促してもよい。また、循環動作での漂白が実行されるすすぎ工程における給水動作が実行される前に、フィルター汚れ検出手段１８の出力を確認するようにしてもよく、フィルター１７上の汚れが溶け出すなどして給水動作で給水される洗浄水の有機物濃度が高くなるのを防止できる。
【００２８】
なお、フィルター汚れ検出手段１８の出力にかかわらず、循環動作での漂白の実行前に必ず汚れ表示ＬＥＤ３５およびブザーによる報知を行ってもよく、その場合はフィルター汚れ検出手段１８を備えなくてもよいため、食器洗浄機の構成が簡単になる。また、食器洗浄機の運転を漂白工程から開始する場合には、フィルター１７上の残飯汚れはないと判断して、フィルター１７の清掃報知は行わないようにしてもよく、使用者が不要な報知にわずらわされることがない。
【００２９】
また、フィルター１７の汚れの自動排出機構を備えて、フィルター汚れ検出手段１８の出力に応じて、フィルター１７の汚れを自動排出するように動作させてもよい。洗浄水の排水を行う際にフィルター１７の汚れが排出されるような構成としてもよく、図４に示すような構成とすることも可能である。図４は本発明の他の実施形態の食器洗浄機の要部概略図である。フィルター４０は略円筒状とし、略円形状の端面の一方は洗浄槽２に開放され、他方の端面は排水ポンプ４１に連通する。フィルター４０の筒状側面には多数の小穴を有して、筒状側面の外側は循環ポンプ４２に連通する。洗浄水を循環する際は循環ポンプ４２を動作させると、洗浄水がフィルター４０の筒状側面を通過して、洗浄水中の残飯や汚れはフィルター４０の円筒内部に捕捉される。また、洗浄水を排水する際に排水ポンプ４１を動作させると、フィルター４０の円筒内部に捕捉された残飯や汚れは洗浄水と一緒に排出されることになる。
【００３０】
また、循環動作での漂白の運転においては、洗浄水の有機物検出手段１６の出力がマイクロコンピュータ２１によって確認される。有機物検出手段１６の出力に基づいて洗浄水中の有機物が多いとマイクロコンピュータ２１が判断すると、漂白成分の濃度を高くするように漂白手段１９の動作条件を変更する。例えば漂白手段１９として備える洗浄水の電気分解手段２０への通電条件を変更し、電流を多く流して電気分解を促進させるように運転を変更する。このようにすることで、漂白成分が洗浄水中の有機物と結合する分を考慮して漂白成分を増やしておくことができるので、漂白効果を低下させずに運転することが可能となる。
【００３１】
また、漂白の運転中に、有機物検出手段１６の出力に基づいて洗浄水中の有機物が多いとマイクロコンピュータ２１が判断した場合に、マイクロコンピュータ２１は漂白の実行を継続しないように判断して、実行中の運転を停止して、洗浄水の排水と新たな洗浄水の給水を行って洗浄水を置換するように、ポンプ５および電磁弁７を動作させてもよい。このとき、汚れ表示ＬＥＤ３５を点灯させたり、さらにブザー３８を鳴らして報知するようにしてもよい。洗浄水の置換を行う際に、漂白手段１９を動作させずに食器に向かって噴射するようにポンプ５を動作させてから洗浄水の置換操作を行うようにしてもよく、すなわちすすぎ工程を１回追加するのと同様の動作を行ったことになる。
【００３２】
上述の洗浄水の汚れやフィルターの汚れへの対応は、漂白が洗い工程の後に実行されるすすぎ工程で実行される場合と、洗い工程を行わずにすすぎ工程での漂白から実行される場合とで、同様に対応してもよい。
【００３３】
漂白手段１９として洗浄水の電気分解手段２０を備える場合には、食塩を含有した洗浄水を電気分解することで、洗浄水中に遊離塩素を生成させるが、このときの食塩は、使用者に洗浄槽２内への食塩の投入を促して、洗浄水に添加されるようにしてもよく、漂白の実行前に、図３に示した操作パネル３９において、食塩投入ＬＥＤ３４を点灯もしくは点滅させるとともにブザー３８を鳴らして報知することができる。扉５０の開閉を検出する扉検出手段５１により、使用者が所定量の食塩を投入するために扉５０が開かれたことをマイクロコンピュータ２１が認知した場合には、ブザー３８を停止する。食塩が投入されて扉５０が閉じられた後で、スタート／一時停止スイッチ２６またはその他のいずれかのスイッチを押すと、漂白が再開される。
【００３４】
また食塩の自動添加手段４４を給水経路６に備えるようにしてもよい。図５は本発明の別の実施形態の食器洗浄機の要部概略図である。食塩添加手段４４は、食塩４５を内包する容器４６が食塩供給経路４８で給水経路６と連結されたもので、食塩供給経路４８を開閉する電磁弁４９を有する。洗浄槽２への給水中に電磁弁４９を開成すると、給水の一部もしくは全部が、食塩供給経路４８を通じて容器４６に導かれ、容器４６内の食塩４５と混合して食塩水となり、再度食塩供給経路４８を通じて洗浄槽２に食塩水が供給される。容器４６に半透膜４７を備えておくと、通常半透膜４７は食塩４５を通過させないが、電磁弁４９が開成して半透膜４７に給水経路６の水圧がかかると、容器４６の内部から食塩４５の一部が染み出す。容器４６の容量と半透膜４７の寸法と給水の流れによって半透膜４７に生じる水圧を適切に設定すると、適当な量の食塩成分を長期間にわたって供給する食塩添加手段４４とすることができる。
【００３５】
また、漂白の運転においては、漂白成分の濃度を検出する手段（図示しない）の出力に基づいて漂白手段１９の運転を制御してもよい。漂白中の漂白成分の濃度が所定の値に満たないときに、漂白手段１９の運転条件を変更して漂白成分の濃度を増やすように運転してもよいし、電気分解手段２０の電流や電圧を制御したり、使用者に食塩の追加投入を促すように報知してもよい。また、漂白中の漂白成分の濃度と漂白手段１９の動作状況から、洗浄水の有機物濃度を演算により推定して、洗浄水の置換を行ったり、漂白手段１９の動作を制御するようにしてもよい。
【００３６】
なお、本発明の内容を逸脱しない範囲でいかなる実施の形態も取ることができるのは言うまでもない。
【００３７】
【発明の効果】
本発明は上記構成により、洗浄水の置換や、フィルターの清掃により、洗浄水中の汚れやフィルターに捕捉される汚れに起因する有機物を低減できるので、漂白成分の失活を抑制して、十分な漂白効果が得られるようになる。また、漂白成分が有機物と結合して異臭を発生することが抑制でき、使用者の不快感を小さくできる。また、洗浄水中の汚れやフィルターに捕捉される汚れがある場合でも、漂白成分が失活する分を考慮して、洗浄水に含有させる漂白成分の濃度を変更することができるので、漂白効果の高い食器洗浄機を提供できる。
【００３８】
また本発明では、フィルターの清掃時期の報知によって使用者がフィルターを清掃するタイミングを容易に知ることができ、簡単な構成で適切なタイミングでのフィルター清掃を実施できる。なお、使用者の判断や、食器の汚れの多寡や、運転のコースに応じて、フィルターの清掃が不要なときには、フィルターの清掃時期が報知されないように運転できるので、不要な報知により使用者がわずらわされることがなく、使い勝手のよい食器洗浄機を提供できる。
【図面の簡単な説明】
【図１】本発明の一実施形態の食器洗浄機の内部構造図。
【図２】本発明の一実施形態の食器洗浄機の制御ブロック図。
【図３】本発明の一実施形態の食器洗浄機の操作パネルの概略図。
【図４】本発明の別の実施形態の食器洗浄機の要部概略図。
【図５】本発明の別の実施形態の食器洗浄機の要部概略図。
【符号の説明】
１：食器洗浄機、２：洗浄槽、３：食器かご、４：ノズル、５：ポンプ、６：給水経路、７：電磁弁、８：水位検出手段、９：温水ヒーター、１０：温水温度検出手段、１１：排水経路、１２：送風ファン、１３：温風ヒーター、１４：排気口、１５：制御装置、１６：有機物検出手段、１７：フィルター、１８：フィルター汚れ検出手段、１９：漂白手段、２０：電気分解手段、２１：マイクロコンピュータ、２２：入力回路、２３：出力回路、２４：駆動回路、２５：電源スイッチ、２６：スタート／一時停止スイッチ、２７：洗浄コーススイッチ、２８：漂白スイッチ、２９：乾燥選択スイッチ、３０：乾燥のみスイッチ、３１：工程表示ＬＥＤ、３２：選択コース表示ＬＥＤ、３３：漂白ＬＥＤ、３４：食塩投入ＬＥＤ、３５：汚れ表示ＬＥＤ、３８：ブザー、３９：操作パネル、４０：フィルター、４１：排水ポンプ、４２：循環ポンプ、４４：食塩添加手段、４５：食塩、４６：容器、４７：半透膜、４８；給水経路、４９：電磁弁、５０：扉、５１：扉検出手段
【図１】
2004229808.tif 000003
【図２】
2004229808.tif 000004
【図３】
2004229808.tif 000005
【図４】
2004229808.tif 000006
【図５】
2004229808.tif 000007